(57)【要約】      （修正有）【課題】マスク使用中に一旦取外したマスクを手軽な操作で安全、確実に保管でき、かつ手間がかからない簡便かつ確実で楽に常時携行できる小型軽量丈夫で、製造しやすい安価なマスク収納具体を提供する。【解決手段】マスク収納具１は、二つ折り可能なシート体を本体として、シート体を二つ折りにした時に当接する内側面には徐放性銀イオン含有被膜を形成し、二つ折り線部略中央にはマスク耳掛け紐部を突出させる開孔部４を構成する。【選択図】図１
0003228341.tif 000002
【実用新案登録請求の範囲】
【請求項１】
二つ折り可能なシート体において、該シート体を二つ折りにしたときにできる二つ折り線の長さを長辺とする長方形を形成し、該シート体を二つ折りにしたときに当接する内側の各々の面に徐放性銀イオンを含有する膜面を形成し、該二つ折り線の略中心部には該二つ折り線方向に長軸と該長軸と直交する短軸の交点が重なる長楕円形の開孔部が形成され、該長楕円の長軸の最大長ｍは、該二つ折り線長をＬとするときｍ＝１／３Ｌであり、該短軸の最大長ｎは、ｎ＝２／１５Ｌであることを特徴とするマスク収納具。
【請求項２】
上記シート体の素材は、合成樹脂フィルム、合成皮革、厚紙、フェルト、不織布等、可撓性を有する素材から形成され、前記シート素材の二つ折りにしたときの外表面の少なくと一面には予備マスク収納ポケット部が形成され、または該外表面の少なくとも一面には装飾面が形成されてなり、または該シート体を二つ折りしたときに当接する内側の各々の面には、表面に徐放性銀イオンを含有する膜面を形成した任意の厚さの高吸水性ポリマー層が形成されてなることを特徴とする請求項１記載のマスク収納具。
【考案の詳細な説明】
【考案の詳細な説明】
【技術分野】
【０００１】本考案は、使用中のマスクを一時的に安全確実に保管し、保管中のマスクの破損やマスク外面を他のものに触れる危険性を防止しながら携行に便利で、再使用の用に供するための安価なマスク収納具に関する。
【背景技術】
【０００２】  従来、風邪や花粉症への対策としてマスクが使われているが、近年ではガーゼマスクより不織布製の使い捨てタイプのマスクが使用されることが多くなった。不織布マスクは使い捨てが基本であるが、使用途中で一旦使用を中止して外したマスクを保管し、再度使用することが実情として多数である。一旦外したマスクを二つ折りにして直接ポケットなどにいれることは衛生上好ましくないので、専用のマスクケースやマスク収納具が様々に知られている。例えば内面に光触媒抗菌材使用の二つ折りマスク収納具（特許文献１）及びポケットテイッシュ収納部と一体化したマスク収納ケース（特許文献２）あるいは複数の未使用マスクを収納する携帯用マスク収納ケース（特許文献３）等が知られている。
【先行技術文献】
【特許文献】
【０００３】
【特許文献１】実用新案登録  第３１５７９４６号公報
【特許文献２】実用新案登録  第３０９１０５９号公報
【特許文献３】公開特許  ２０１１−４１７９０号公報しかしながら例えば光触媒抗菌材使用の二つ折りマスク収納具の場合、紫外線に反応する二酸化チタンが抗菌剤の主成分であるため、折畳まれた収納マスクに充分な紫外線が露光されるはずもなく、使用上必ずしも充分な抗菌効果を期待できない虞れがある。また使用途中のマスクを収納して二つ折りにシート形状を保持するために面ファスナーを付加しさらに外側を表示する表示標識を付加するなど製造方法に複数の工程が必要となり、必ずしも安価な製品とは成り難い問題点がある。（特許文献１）またポケットテイッシュ収納部と一体化したマスク収納ケースの場合、ケース自体が分厚いものになり、例えば洋服の内ポケットなどには容易に入れられず、鞄やバックに収納するしかなく、また収納したマスクはファスナー開閉の収納部に収納する必要が有り、取扱いに注意が必要で手間取る難点を生じやすくまた安価な商品とはなりがたい問題点がある。（特許文献２）さらに複数の未使用マスクを収納する携帯用マスク収納ケースの場合には、三方を閉鎖した袋の中に使用中のマスクを収納するため手指で直接マスク外面に触れざるを得ず衛生面からの難点を生じやすく且つ未使用マスク収納部と一体化しているため大形にならざるを得ずさらにファスナー開閉にも手間取る（特許文献３）という問題点があった。
【考案の概要】
【考案が解決しようとする課題】
【０００４】  本考案の目的はこのような難点を解消するものである。すなわち本具使用者にとっては洋服の内ポケットやズボンのポケット等に容易に入りかつ取扱いは極めて容易かつ簡単な操作で使用中のマスクを衛生的に収納可能であり常時携帯搬送容易で効果の確実な使用中マスク収納保管手段としてのマスク収納具を提供することにある。
【課題を解決するための手段】
【０００５】  請求項１に記載の考案によれば、本具マスク収納体は強靱且つ柔軟な可撓性を有する適宜な素材のシート体であって、該シート体は二つ折りにした時にシート体中央できる二つ折り線を長辺とする長方形を形成する形状に二つ折りされる。該シート体を二つ折りした時に当接する内側面の各々には徐放性銀イオン含有の膜面が形成され、収納された使用中のマスク外面が接することにより除菌効果を発揮するものである。また該二つ折り線上の略中央部には該二つ折り線と長軸を重ねた長楕円形の開孔部が形成され、このときの該長楕円形の長軸最大長さをｍとし、該二つ折り線長をＬとするとｍ＝１／３Ｌであり該短軸の最大長をｎとすると、ｎ＝２／１５Ｌであり、該長楕円形の軸交点は該二つ折り線中点と一致するものである。すなわち本考案のマスク収納具、二つ折りされた内面には徐放性銀イオン含有の膜面が形成されているので、二つ折りにして収納された使用中のマスク外面は該抗菌面と密着するので収納中に抗菌効果が正しく発揮され、またシート二つ折り線中央部に形成された長楕円形の開孔部からマスクの耳掛け紐部を突出させてシート体全体に潜らせて固定するのでシート体が開放されずに二つ折り状態を保持することにより特別な保持部品を必要とせず、製造容易で安価に提供できるマスク収納具となり、課題を解決している。【０００６】  請求項２に記載の考案によれば、本具収納シート体は可撓性を有する強靱且つ柔軟な適宜な大きさの方形薄体が望ましい。また上記素材は縫製あるいは接着加工により、該二つ折りしたシート体表面の少なくとも一面には予備マスク収納ポケット部が容易に付加され、あるいは該二つ折りしたシート体表面の少なくとも一面には装飾面を構成して特定の商品に付加価値をつける事もできる。さらには該シート体を二つ折りした時に当接する内側面の各々には徐放性銀イオン含有の膜面を持つ、任意の厚さの高吸水性ポリマー層が形成され、この場合は適宜な水量をスプレーして吸水させ冷凍庫の中に本具を適宜時間放置する事により本具に保冷効果を持たせることにより、夏場のマスク冷却収納具を形成することにより課題を解決している。【０００７】  前記、本マスク収納具の材質は主として合成樹脂フィルム、不織布、厚紙、皮革、合成皮革、及び天然繊維等であり強靱且つ柔軟な可撓性を有するシート体が望ましい。また本体のサイズ、大きさについては二つ折りにした状態で該二つ折り線長さを長辺とする長方形が期待され例えば縦１５ｃｍ横１０ｃｍ等の長方形などが想定される。したがって使用中のマスクを顔面から外して本具に収納するには、二つ折りにしたマスクを本具内面に載置し長楕円形開孔部からマスクの耳掛け紐を外面に突出させてマスクを挟みながら耳掛け紐をぐるりと本具に一周させて固定する。袋状収納ケース等と違い本具はマスクを挟むだけなので極めて収納しやすく、またマスクの紐自体を固定に利用するので特別の留具や固定具が不要となり、収納の脱着が極めて簡易である。また本具のサイズ形状は二つ折りしたマスク本体より少し大きい程度であり比較的小型かつ薄形であるので衣服のポケットにも入れやすく携行に便利でありまた製造が容易であるので安価な商品として提供できるものである。【０００８】  前記、本体シート体を二つ折りした時に当接する内側面の各々には徐放性銀イオン含有の膜面が形成されている。該徐放性銀イオンは紫外線量には無関係で、空気中の水分子に反応して銀イオンを溶出するもので、また銀イオンの溶出は徐々に進むタイプなので永年使い続ける事が出来かつ手入れ等は不要なので手間もかからず手軽に使う事ができる。収納したマスクは汚染される事が多い外面が該抗菌面と直接接するので、極めて抗菌効果も高く衛生的であるのは言うまでもない。収納したマスクを取出し再度使用する時には、本具は大きく一枚の板状に開くので視野が広く、マスクの端を掴んで取出しやすく極めて衛生的かつ簡易な操作で完了するのでマスクを再着用するうえで極めて有効である。
【考案の効果】
【０００９】本具は一枚のシート材を二つ折りするだけなので、マスクの収納、取出しが極めて容易で、視野や取扱い面が広いのでマスクの端など適切な位置を保持しやすく衛生的にも最も安全である。またサイズや大きさも小さく薄いのでポケットや鞄に入れても嵩張らず携行に便利である。本具内面は常時抗菌加工面を持つので収納マスクを挟むだけで抗菌処理を行なう事になり極めて衛生的である。収納に手間ひまや複雑な操作が不要であり、若年から老人まで使用者を選ぶ必要もなく広く使える商品である。本具は基本構造、構成が極めて簡素なので製造しやすく安価に市場に提供できるものである。また二つ折りした外面に予備マスク収納ポケットや、装飾面を新たに付加することも容易であり商品のバリエーションを容易に増やす事もできる。また季節に応じて例えば二つ折りした時に当接する内側面の各々には任意の厚さの高吸水性ポリマー層部を構成し、適宜の水量を含水させた保水層を作り、冷凍室に放置して保冷効果を持たせるあるいは炭素粉末を含有させた保温層を構成する等、温度管理の機能を担持させる事も容易にできる。以上のように操作や管理に手間暇がかからず簡易かつ確実有効に使用者に未使用及び使用中マスクの収納携行できる商品を安価に提供できる構成となっている。【０００１０】本考案の一実施例仕様を以下詳述する。厚さ１ｍｍの合成樹脂シート材を二つ折りにした状態で、二つ折り線長辺長さ約１５ｃｍで短辺約１０ｃｍのとき、二つ折り線上略中心部に長軸約５ｃｍ短軸約２ｃｍの長楕円形の開孔部を持つ。シート材本体内面の二つ折り各面には、縦約１４ｃｍ横約８．５ｃｍの表面に徐放性銀イオン５％含有のインキが塗布されてなる不織布が接着されている。また上記抗菌不織布と縦横同寸法で厚さ約３ｍｍの表面抗菌加工された高吸水性ポリマー層を持つ夏専用マスク収納具の例がある。
【実施例】
【０００１１】  以下、添付図面に従って一実施例を説明する。［第１図］によって説明すると本図は基本的な構造を持つマスク収納具を二つ折り線によって折り曲げ、見開いた状態の内側面を説明する斜視図である。このとき本具内側面には抗菌剤が塗布された不織布が貼付されてなり、二つ折り線略中央には長楕円形の開孔部が形成されている。【０００１２】［第２図］によって説明すると、本図はマスク収納具の各部の寸法比率を示す底面図である。二つ折り線上に開孔する長楕円形の長軸最大長ｍは二つ折り線長をＬとする時ｍ＝１／３Ｌであり、短軸最大長ｎ＝２／１５Ｌである。【０００１３】［第３図］によって説明すると、本図はマスクを収容しないで本具が二つ折り状態になっている状態を示す外観斜視図である。【０００１４】［第４図］によって説明すると、本図はマスク収納具を二つ折り線によって折り曲げ、見開いた状態の内側面を説明する［第１図］に使用中のマスクを載置してマスクの耳掛け紐を開孔部から外部に突出させた状態を示す斜視図である。【０００１５】［第５図］によって説明すると、本図は［第４図］に示す使用中のマスクの載置状態で本具を二つ折りした状態を示す外観斜視図である。マスクの位置は破線で表示する。【０００１６】［第６図］によって説明すると、本図は［第５図］に示す使用中のマスクを収納状態で、マスク耳掛け紐を本収納具に掛け回した状態を示す外観斜視図である。マスクの位置および耳掛け紐の位置は破線で表示する。【０００１７】［第７図］によって説明すると、本図は［第６図］に示す使用中のマスク収納状態で、マスク耳掛け紐を本収納具に掛け回した状態を示す外観斜視図である。【０００１８】［第８図］によって説明すると、本図は本考案の別途実施例であり［第３図］に示す二つ折り状態で、且つ本具表面の片面に別途収納ポケット部を増設し、予備マスクを収納した状態を示す外観斜視図である。【０００１９】［第９図］によって説明すると、本図は［第８図］に示す二つ折り状態で、且つ本具表面の片面に別途収納ポケット部を増設し、使用中マスク及び予備マスクを収納し、使用中マスクの耳掛け紐を掛け回した状態を示す外観斜視図である。【０００２０】［第１０図］によって説明すると、本図は本考案の別途実施例であり［第３図］に示す二つ折り状態で、且つ本具表面の片面に装飾部を増設し、使用中のマスクを収納し耳掛け紐を掛け回した状態を示す外観斜視図である。【０００２１】［第１１図］によって説明すると、本図は本考案の別途実施例であり［第３図］に示す見開き状態で、且つ本具内側面には表面に抗菌加工をした高吸水ポリマー層部を形成した、見開き状態を示す斜視図である。
【図面の簡単な説明】
【０００２２】
【図１】本考案の一実施例の形態を示し、マスク収納具を見開いた状態の内側面を示す斜視図である。
【図２】本考案の一実施例の形態を示し、マスク収納具各部の寸法比率を示す、底面図による説明図である
【図３】本考案の一実施例の形態を示し、マスク収納具を二つ折りにした状態を示す外観斜視図である。
【図４】本考案の一実施例の形態を示し、マスク収納具の内側面に使用中のマスクを載置し、耳掛け紐部を該収納具の開孔部より外部に突出させた状態を示す斜視図である。
【図５】本考案の一実施例の形態を示し、［図４］の状態でマスク収納具を二つ折りにした状態を示す一部透視図を含む外観斜視図である。
【図６】本考案の一実施例の形態を示し、［図５］の状態で収納したマスクの耳掛け紐をマスク収納具に掛け回した状態を示す一部透視図を含む外観斜視図である。
【図７】本考案の一実施例の形態を示し、［図６］の状態で収納したマスクの耳掛け紐をマスク収納具に掛け回した状態を示す外観斜視図である。
【図８】本考案の一実施例の形態を示し、二つ折りしたマスク収納具のシート表面の少なくとも一面に予備マスクを収納するポケット部を形成し、該ポケット部に予備の未使用マスクを収納した状態を示す外観斜視図である。
【図９】本考案の一実施例の形態を示し、［図８］の状態で使用中のマスクも収納し、使用中のマスクの耳掛け紐をマスク収納具に掛け回した状態を示す外観斜視図である。
【図１０】本考案の一実施例の形態を示し、二つ折りしたマスク収納具のシート表面の少なくとも一面に装飾部を形成し、［図７］の状態で収納したマスクの耳掛け紐をマスク収納具に掛け回した状態を示す外観斜視図である。
【図１１】本考案の一実施例の形態を示し、［図１］の状態の抗菌面部の下部に任意の厚みを持つ高吸水性ポリマー層を形成してなる状態を示す斜視図である。
【符号の説明】
【０００２３】１    マスク収納具
２    シート体
３    折り曲げ線部
４    開孔部
５    抗菌面部
６    使用中マスク本体部
７    耳掛け紐部
８    予備マスク収納部
９    予備マスク本体
１０  装飾面部
１１  高吸水性ポリマー層部
【図１】
0003228341.tif 000003
【図２】
0003228341.tif 000004
【図３】
0003228341.tif 000005
【図４】
0003228341.tif 000006
【図５】
0003228341.tif 000007
【図６】
0003228341.tif 000008
【図７】
0003228341.tif 000009
【図８】
0003228341.tif 000010
【図９】
0003228341.tif 000011
【図１０】
0003228341.tif 000012
【図１１】
0003228341.tif 000013